(57)【要約】【課題】  点滴用チューブが捩れようとする力を受けた場合でも、チューブが捩れて輸液の流れが停滞するような不具合を確実に防止できるようにし、また、輸液中に異物等が侵入するおそれをなくし、更に、簡単な操作で既存の点滴装置にも装着できるようにする。【解決手段】  注射器１３を収容した第１ケース１６からなる注射器ユニット１０と、アダプター１５を収容した第２ケース１７からなるアダプターユニット１１を嵌合自在にし、注射器１３の注射針１３ａをアダプター１５のゴム部１５ｇに挿し込んで回転可能に連結すると同時に、第１ケース１６と第２ケース１７とが抜脱不能で且つ相互に回転可能になるように連結する。【選択図】      図２
2007068585.tif 000002
【特許請求の範囲】
【請求項１】
点滴用チューブの捩れを防止するための捩れ防止具であって、前記点滴用チューブのうち、輸液供給路の上流側のチューブに接続可能な注射器ユニットと、輸液供給路の下流側のチューブに接続可能なアダプターユニットを備え、前記注射器ユニットは、前記上流側のチューブに接続される注射器を第１ケース内に収容することで構成されるとともに、前記アダプターユニットは、前記下流側のチューブに接続されるアダプターを第２ケース内に収容することで構成され、前記第１、第２ケースは、お互いに抜脱不能で且つ相互に回転可能に連結され、また、第１、第２ケースを連結した状態で、前記注射器の注射針がアダプターのゴム部に挿し込まれて挿込み孔まわりに回転可能にされることを特徴とする点滴用チューブの捩れ防止具。
【請求項２】
請求項１に記載の注射器とアダプターを収容するための第１、第２ケースであって、前記第１ケースは、第２ケースのメス嵌合部内に挿入されて嵌合可能なオス嵌合部を備えており、前記第２ケースのメス嵌合部の内周面の一部には、段差部が形成されるとともに、前記オス嵌合部の先端部付近の外周面には、弾性力によって前記段差部に係合し抜け出しを防止するための係止突起部が設けられることを特徴とする捩れ防止具のケース。
【請求項３】
前記第２ケースには、メス嵌合部と反対側の端面に、アダプターの小径筒部を回転可能に遊挿せしめることのできる挿通孔が形成され、また、前記第１ケースには、オス嵌合部と反対側の端面に、注射器に接続されるコネクターを回転可能に遊挿せしめることのできる挿通孔が形成されることを特徴とする請求項２に記載の捩れ防止具のケース。
【発明の詳細な説明】
【技術分野】
【０００１】
本発明は、点滴装置によって輸液を点滴中、点滴用チューブが捩じれて輸液の供給が中断したり停滞したりするのを防止するための技術に関する。
【背景技術】
【０００２】
従来、例えば犬や猫などの動物に点滴する際、輸液容器に接続される点滴用チューブの先端に注射針を取り付けたような点滴装置を用いるのが一般的であり、この際、動物が動き回ることによるチューブの捩れを防止する技術として、輸液容器を吊るしておく支持部材に対して輸液容器を回転可能に吊るしておくことにより、動物の動きに追随して輸液容器を回転させ、捩れを解消するような技術（例えば、特許文献１参照。）や、樹脂や金属等から略Ｌ字型に折れ曲った本体を形成し、この本体を巻き付け用テープにより輸液供給路の下流側の点滴チューブユニットに巻き付けて固定する一方、本体の穴を挿通する注射器を輸液供給路の上流側の点滴チューブユニットに接続し、この際、注射針と下流側の点滴チューブユニットとを回転可能に接合することによりチューブの捩れを防止するような技術（例えば、特許文献２参照。）などが知られている。
【特許文献１】特開２００１−２９９７８７号公報
【特許文献２】特開２００１−１０４４７６号公報
【発明の開示】
【発明が解決しようとする課題】
【０００３】
ところが、特許文献１の技術の場合、チューブの捩れが輸液容器に伝達されるためには、チューブがある程度直線的に輸液容器に連結されている必要があり、チューブの途中に中吊り箇所があるようなときや、チューブが長くて曲り部があるようなときや、捩れ力が小さいような場合にはチューブの捩れを確実に解消することが出来なかった。
また、特許文献２のように、略Ｌ字型の本体を巻き付け用テープでチューブユニットに固定し、注射器を使用してチューブユニット同士を回転可能に連結する方法は、注射器とチューブユニットの接合部が外部に露出しているため、例えば接合箇所から輸液中に異物等が混入する恐れがあり、点滴装置としては好ましくなかった。
【０００４】
そこで本発明は、小さな捩れを伴う動作の場合でも点滴用チューブが捩れて輸液の流れが停滞するような不具合を確実に防止できるようにし、また、輸液中に異物等が侵入するおそれをなくすとともに、簡単な操作で既存の点滴装置にも装着できるようにすることを目的とする。
【課題を解決するための手段】
【０００５】
上記目的を達成するため本発明は、点滴用チューブの捩れを防止するための捩れ防止具において、前記点滴用チューブのうち、輸液供給路の上流側のチューブに接続可能な注射器ユニットと、輸液供給路の下流側のチューブに接続可能なアダプターユニットを設け、前記注射器ユニットとして、前記上流側のチューブに接続される注射器を第１ケース内に収容することで構成するとともに、前記アダプターユニットとして、前記下流側のチューブに接続されるアダプターを第２ケース内に収容することで構成し、前記第１、第２ケースを、お互いに抜脱不能で且つ相互に回転可能に連結し、また、第１、第２ケースを連結した状態で、前記注射器の注射針がアダプターのゴム部に挿し込まれて挿込み孔まわりに回転可能になるようにした。
【０００６】
このように、輸液供給路の上流側のチューブと下流側のチューブとの間に捩れ防止具を配設し、下流側のチューブが捩れた場合でも捩れ防止具により捩れを解消するようにする。この際、主として、注射器の注射針がアダプターのゴム部に挿し込まれる挿込み孔により捩れ回転を吸収することができるが、その外側を第１、第２ケースで覆っているため、挿込み孔から異物等が侵入する恐れをなくすことができる。
また、第１ケースと第２ケースが相互に回転可能に連結されているため、注射針の挿込み孔ばかりでなく、ケース間の相対回転によっても捩れ回転を吸収することができ、わずかに捩れただけでも完全に捩れを吸収することができる。
なお、アダプターとしては、例えば点滴用の注射器に付属して使用される専用のアダプター部品（点滴用注射器を動物等に装着したまま、当該注射器の接続孔に接続されるチューブやコネクタなどを一時的に外した際に、当該注射器の接続孔を塞いで異物等の混入を防止するためのキャップとして使用したり、点滴用注射器を動物等に装着したまま、点滴液以外の薬液を注射をするときに、点滴用注射器の接続孔に装着した後、ゴム部を介して別の注射器から薬液を注射するときに使用するための部品）が好適であり、このようなアダプターは、筒部の一端側にゴムが被せられて一体化されたものが一般的である。
【０００７】
また本発明では、前記注射器とアダプターを収容するための第１、第２ケースにおいて、前記第１ケースに、第２ケースのメス嵌合部内に挿入されて嵌合可能なオス嵌合部を設け、前記第２ケースのメス嵌合部の内周面の一部には、段差部を形成するとともに、前記オス嵌合部の先端部付近の外周面には、弾性力によって前記段差部に係合し抜け出しを防止するための係止突起部を設けるようにした。
そして、第２ケースのメス嵌合部に第１ケースのオス嵌合部を挿入すると、オス嵌合部の係止突起部が弾性力によってメス嵌合部の段差部に係合するようにすれば、簡単な操作でケース同士を結合することができ、便利である。
【０００８】
また本発明では、前記第２ケースには、メス嵌合部と反対側の端面に、アダプターの小径筒部を回転可能に遊挿せしめることのできる挿通孔を形成し、また、前記第１ケースには、オス嵌合部と反対側の端面に、注射器に接続されるコネクターを回転可能に遊挿せしめることのできる挿通孔を形成するようにした。
そして、第１、第２ケースを連結する際は、予め、第２ケース内にアダプターを収納し、第１ケース内に注射器を収納した状態で連結することにより、各ケースの連結と同時に注射器の注射針をアダプターのゴム部に挿し込むようにし、その後、第２ケースの挿通孔を遊挿する小径筒部に下流側のチューブを接続し、第１ケースの挿通孔の位置に臨む注射器の接続孔に上流側のチューブのコネクターを接続すれば容易に組み付けることができる。
また、この際、アダプターの小径筒部は第２ケースの挿通孔を回転可能に遊挿し、注射器に接続されるコネクターは第１ケースの挿通孔を回転可能に遊挿しているため、ケース内で注射器やアダプターが抵抗なくフリーに回転することができ、チューブの捩れ防止により効果的である。
【発明の効果】
【０００９】
点滴用チューブの捩れを防止するため、注射器の注射針をアダプターのゴム部に挿し込んで回転自在に連結するとともに、注射器とアダプターを第１、第２ケースに収納することで、輸液に異物等が混入するような不具合を防止できる。しかも、ケース同士を回転自在に連結すれば、チューブの捩れ防止を一層効果的に行うことができる。
この際、ケースとして、一方側のオス嵌合部と他方側のメス嵌合部を嵌合させるようにし、係止突起部が段差部に係合することでケース同士が結合されるようにするとともに、オス嵌合部やメス嵌合部とは反対側のケース端面に挿通孔を設ければ、簡単な操作で組付けることができる。
【発明を実施するための最良の形態】
【００１０】
本発明の実施の形態について添付した図面に基づき説明する。
ここで図１は本発明に係る点滴用チューブの捩れ防止具が適用される点滴装置の説明図、図２は点滴用チューブの捩れ防止具の説明図、図３は同捩れ防止具の構成部品の分解斜視図で、（ａ）はケースの分解斜視図、（ｂ）はケース内に収容される注射器とアダプターの説明図、（ｃ）は注射器ユニットとアダプターユニットの説明図である。
【００１１】
本発明に係る点滴用チューブのねじれ防止に関する技術は、例えば犬や猫などの動物に点滴中、動物が動き回ってチューブに捩れを伴う動作を行った場合でも捩れを防止して輸液の流れが停滞するような不具合を防止するとともに、輸液中に異物等が侵入するおそれをなくし、また捩れ防止具を簡単な操作で既存の点滴装置にも装着できるようにされている。
【００１２】
すなわち、本捩れ防止具が適用される点滴装置１は、図１に示すように、高い位置に吊り下げるように位置決めセットされ且つ点滴液を貯留する輸液容器２と、この輸液容器２に接続される輸液供給路の上流側のチューブ３と、この上流側のチューブ３に接続される捩れ防止具４と、この捩れ防止具４に接続される輸液供給路の下流側のチューブ５を備えており、この下流側のチューブ５の先端にＵ字チューブ６を介して点滴用の注射針が取り付けられている。そして、犬などの動物Ａに点滴を施すときは、下流側のチューブ５を首輪などを通して前足などの点滴箇所に導き、Ｕ字チューブ６先端の注射器を点滴箇所に注射してバンド等で固定している。
【００１３】
そして、点滴中に動物Ａが動き回って下流側チューブ５に捩れが生じる場合でも、捩れ防止具４によって捩れを解消し、上流側チューブ３を含めてチューブ全体に捩れが生じないようにされている。
なお、上流側チューブ３の途中には、輸液の流れを安定させるためのチャンバ７や、輸液の流れる量を調整するためのクランプ８等が配設されている。
【００１４】
前記捩れ防止具４は、図２、図３に示すように、上流側チューブ３にコネクタ１２を介して接続される注射器１３と、下流側チューブ５にコネクタ１４を介して接続されるアダプター１５とが連結されるとともに、その周囲が第１、第２ケース１６、１７で覆われており、注射器１３と第１ケース１６によって注射器ユニット１０が構成され、アダプター１５と第２ケース１７によってアダプターユニット１１が構成されている。
【００１５】
前記注射器１３は、図３（ｂ）に示すように、コネクタ１２（図２）と接続するための接続孔１３ｃと、注射針１３ａを備えており、前記アダプター１５は、小径筒部１５ａと大径筒部１５ｂとゴム部１５ｇを備えるとともに、ゴム部１５ｇは大径筒部１５ｂの端部にゴムが被せられて一体化されている。
なお、このアダプター１５は、小径筒部１５ａが注射器１３の接続孔１３ｃに嵌合可能とされ、点滴用注射器１３の接続孔１３ｃを一時的に塞いでおくキャップとしての役割を有するとともに、点滴液以外の薬液を注射をするとき、点滴用注射器１３の接続孔１３ｃに装着したアダプター１５のゴム部１５ｇに、薬液注射用の注射器の注射針を挿し込んで薬液を注射する時に使用するための付属部品として設けられているものであり、注射器１３もアダプター１５も既存の点滴装置に用いられているものである。
【００１６】
前記第２ケース１７は、図３（ａ）に示すような外側ケース２０の内面に、長さがやや短い内筒２１が接着固定されたものであり（破線は内筒を接着固定する前の状態）、内筒２１が挿入される開口部側がメス嵌合部Ｍとされ、外側ケース２０の他端側の端面には、挿通孔２０ｈが設けられている。そして、この挿通孔２０ｈは、前記アダプター１５の小径筒部１５ｂの外径より大きめにされ、小径筒部１５を回転可能に遊挿せしめることができるようにされている。
また、外側ケース２０内に固着される内筒２１の内部側端面が段差部ｄとして構成されている。
【００１７】
前記第１ケース１６は、前記内筒２１の内径より僅かに小径のオス嵌合部Ｎを備えており、このオス嵌合部Ｎには、軸線方向に沿って複数本のスリット溝ｎが形成されることにより先端部が半径方向に拡縮自在にされ、また、オス嵌合部Ｎの先端部付近外周には、半径方向の外側に張り出す係止突起ｔが設けられている。
そして、このオス嵌合部Ｎの係止突起ｔまでの軸方向長さは、前記内筒２１の軸方向長さとほぼ同一にされ、第１ケース１６のオス嵌合部Ｎを第２ケース１７のメス嵌合部Ｍに嵌合させると、係止突起ｔが段差部ｄを通過した時点で弾性力によりオス嵌合部Ｎ先端が外側に広がり、係止突起ｔが段差部ｄに係合して抜脱不能になるようにされている。またこの際、第１ケース１６と第２ケース１７とは相互に回転可能に嵌合するようにされている。
【００１８】
また、第１ケース１６のオス嵌合部Ｎの反対側端面には、コネクタ１２の外径より大きめの内径を有する挿通孔１６ｈが形成されている。
なお、以上のような第１、第２ケース１６、１７は、本実施例の場合、透明な樹脂素材から形成されている。
【００１９】
以上のような捩れ防止具４において、図３（ｃ）に示すように、第１ケース１６内に注射器１３を収納して注射器ユニット１０とし、第２ケース１７内にアダプター１５を収納してアダプターユニット１１とする。この際、注射器１３は接続孔１３ｃが挿通孔１６ｈを通して外部に臨むようにし、アダプター１５は小径筒部１５ａが外側ケース２０の挿通孔２０ｈを挿通するようにしておく。
【００２０】
次に、第２ケース１７のメス嵌合部Ｍに第１ケース１６のオス嵌合部Ｎを嵌合させる。すると、注射器１３の注射針１３ａがアダプター１５のゴム部１５ｇに挿し込まれると同時に、オス嵌合部Ｎの先端の係止突起ｔが段差部ｄに係合して抜脱不能に結合される。そして、注射器１３とアダプター１５とは回転可能に連結されるとともに、第１ケース１６と第２ケース１７も相互に回転可能に連結される。
この際、結合手順は極めて簡単であり、しかも、既存の点滴装置においても本捩れ防止具４を介装するだけで適用出来るため便利である。
【００２１】
そして、例えば下流側チューブ５が捩れ力を受けると、アダプター１５のゴム部１５ｇと注射針１３ａとが回転自在に連結すると同時に、アダプター１５と第２ケース１７との間や、注射器１３と第１ケース１６との間も相互に回転可能であり、更に、第１ケース１６と第２ケース１７との間も回転可能なため、捩れ力が小さいうちから解消することができ、チューブ４、５が捩れて輸液の供給が中断したり停滞したりするような不具合を完全に防止できる。
また、第１、第２ケース１６、１７によって注射針１３ａとゴム部１５ｇの挿込み孔部分が覆われており、同部から輸液中に異物等が混入する恐れはない。
【００２２】
なお、本発明は以上のような実施形態に限定されるものではない。本発明の特許請求の範囲に記載した事項と実質的に同一の構成を有し、同一の作用効果を奏するものは本発明の技術的範囲に属する。例えば、本装置を利用できる動物としては犬や猫に限られるものでない。
【産業上の利用可能性】
【００２３】
犬や猫等の動物に点滴を行っている際、動物が動き回っても点滴用チューブが捩れて輸液の供給が中断したり、停滞したりするような不具合を防止でき、しかも、輸液の中に異物等が混入する恐れがなく、しかも簡単な操作で既存の点滴装置に適用できるため、有用性が高い。
【図面の簡単な説明】
【００２４】
【図１】本発明に係る点滴用チューブの捩れ防止具が適用される点滴装置の説明図
【図２】点滴用チューブの捩れ防止具の説明図
【図３】同捩れ防止具の構成部品の分解斜視図で、（ａ）はケースの分解斜視図、（ｂ）はケース内に収容される注射器とアダプターの説明図、（ｃ）は注射器ユニットとアダプターユニットの説明図
【符号の説明】
【００２５】
１…点滴装置、３…上流側チューブ、４…捩れ防止具、５…下流側チューブ、１０…注射器ユニット、１１…アダプターユニット、１３…注射器、１３ｃ…接続孔、１５…アダプター、１５ａ…小径筒部、１５ｇ…ゴム部、１６…第１ケース、１６ｈ…挿通孔、１７…第２ケース、２０ｈ…挿通孔、Ｍ…メス嵌合部、Ｎ…オス嵌合部、ｄ…段差部、ｔ…係止突起。
【図１】
2007068585.tif 000003
【図２】
2007068585.tif 000004
【図３】
2007068585.tif 000005